(57)【要約】【課題】押出形材により作られる筺体に形成した貫通穴を、外観を損なわずに塞ぐ。【解決手段】筺体１０は、中空部が押出方向に連続する金属製の押出形材を所定長さに切断して作られる。筺体１０には、押出方向に対して交差する方向にある一側面に、ストラップ用の貫通穴２１，２２が形成される。筺体１０のホロー開口部には、天板２６と底板２９とが嵌め込まれる。天板２６と底板２９との間には、通し部品３１が押出方向と平行に取り付けられる。貫通穴２１，２２は、通し部品３１に設けた凹部５０により底が塞がれる。【選択図】図３
2009278040.tif 000002
【特許請求の範囲】
【請求項１】
中空部が押出方向に連続する金属製の押出形材を所定長さに切断して作られる筺体と、
前記筺体のうちの前記押出方向と平行な一側面に形成されている貫通穴と、
前記貫通穴を内部から塞ぐ一部を有し、前記筺体の内部に前記押出方向と平行に取り付けられる通し部品と、
を備えたことを特徴とする電子機器の組立構造。
【請求項２】
前記貫通穴はストラップ通し用の一対の穴であり、前記通し部品の一部は、前記一対の穴との間で隙間を確保するための凹部になっていることを特徴とする請求項１記載の電子機器の組立構造。
【請求項３】
前記筺体の押出方向にある開口部を塞ぐ外観部品を備え、前記通し部品は、前記一部を挟んだ一端又は両端が、前記外観部品を前記筺体に固定する固定手段により共締めされることを特徴とする請求項１又は２記載の電子機器の組立構造。
【請求項４】
中空部が押出方向に連続する金属製の押出形材を所定長さに切断して筺体を作る切断工程と、
前記筺体のうちの前記押出方向と平行な一側面に貫通穴を形成する穴開け工程と、
前記筺体の内部に前記押出方向と平行に通し部品を取り付けて前記貫通穴を内部から塞ぐ取付工程と、を含むことを特徴とする電子機器の組立方法。
【請求項５】
前記取付工程は、
前記筺体の押出方向にある開口部を塞ぐ外観部品を前記筺体に固定する固定手段で、前記通し部品の前記一部を挟んだ一端又は両端を共締めする工程を含むことを特徴とする請求項４記載の電子機器の組立方法。
【発明の詳細な説明】
【技術分野】
【０００１】
本発明は、ホロー断面部を有する金属製の押出形材を所定の長さに切断して作られる筺体を用いる小型電子機器の組立構造及び方法に関する。
【背景技術】
【０００２】
従来、コンパクトカメラ等の携帯用電子機器では、筺体を樹脂製の外観部品、例えば前・後カバーの組合せで作っているものが多い。しかし、複数部品の組合せで作った筺体は、強度が弱く、また、寸法精度が低下する欠点がある。そこで、従来、ホロー断面部を有する押出形材を所定長さに切断して筺体を作ることが知られている（特許文献１、２）。
【０００３】
特許文献１に記載の筺体装置では、ホロー断面部を有する押出形材を所定長さに切断して筺体部を作り、その筺体部の少なくとも１つの面に、部品群を外側から取り付けている。特許文献２に記載の小型電子筺体及びその製造方法では、ホロー断面部を有するアルミニウム合金製の押出形材を所定長さに切断して筺体を作り、その筺体に部品取付用の穴又は切欠部をプレス打ち抜き加工により形成している。
【特許文献１】特開平１１−１１２１６０号
【特許文献２】特開２００６−１８５９６９号
【発明の開示】
【発明が解決しようとする課題】
【０００４】
ところで、携帯用電子機器には、一般的にストラップ用の取付部が設けられている。ストラップ用の取付部は、一般的に、一対の穴をトンネル状に繋いだ構成になっている。ストラップは、一対の穴の間に形成される支持部にくくりつけられる。一対の穴は、ストラップが通るだけの大きさで形成されるのでサイズが小さく、また、一対の穴間はストラップを結び付けるだけでよいので狭めて狭い。このようなストラップ用の取付部を筺体のうちの押出方向に対して交差する方向にある一側面に形成する場合、特許文献２に記載のプレス打ち抜き加工を用いると、穴のサイズが小さいため、穴の内周面すなわち剪断切口面に目立った破断面やダレが生じて肌が荒れてしまったり、一対の穴間が狭いため、穴が変形するなどの形状変形を招いたりしてしまうという欠点がある。
【０００５】
また、プレス打ち抜き加工では、一般的に、超硬合金（タングステン・カーバイド（ＷＣ））製のパンチ・ダイを使用する。超硬合金製のパンチ・ダイを使ってアルミ及びアルミ合金製の筺体にプレス加工を施すと、アルミ凝着が生じて凝着摩耗が起こるため、パンチ・ダイの寿命が鋼をプレスする場合に比較してかなり低くなる。パンチ・ダイとしてセラミックス製のものも一部検討されているが、強度不足のため一般的になっていないのが現状である。
【０００６】
さらに、筺体の一側面に一対の貫通穴を開けた後には、一対の貫通穴をトンネル状に繋がないと、ストラップを通すことができない。特許文献１に記載の筺体装置では、部品群を筺体に外側から取り付けている。一対の貫通穴をトンネル状に塞ぐ部品を筺体の内部に取り付ける場合、ネジ等の締結部材やそれを隠すための目隠し部材などが外観に表れる。このため、見栄えが悪くなるという欠点がある。
【０００７】
本発明の目的は、ホロー断面部を有する押出形材を所定長さに切断した筺体に形成した貫通穴を、外観を損なわずに塞ぐことができる電子機器の組立構造及び組立方法を提供することにある。
【課題を解決するための手段】
【０００８】
本発明では、中空部が押出方向に連続する金属製の押出形材を所定長さに切断して作られる筺体と；前記筺体のうちの前記押出方向と平行な一側面に形成される貫通穴と；前記筺体の内部に前記押出方向と平行に取り付けられ前記貫通穴を内部から塞ぐ一部を有する通し部品と；を備えたものである。
【０００９】
通し部品は、貫通穴を塞ぐ一部を有し、筺体の内部に押出方向と平行に取り付けられる。筺体の押出方向にある開口部には、例えば天板や底板等の外観部品により塞がれる。外観部品を筺体に固定する固定手段により、通し部品の一端又は両端を一緒に共締めするのが、取付作業が簡便になるため好適である。
【００１０】
筺体に形成される貫通穴としては、スピーカ用の穴やストラップ通し用の一対の穴、端子を露呈されるための穴等でもよい。ストラップ用の一対の穴の場合には、通し部品の一部に、ストラップを通すための間隔を確保するための凹部を形成するのが望ましい。
【発明の効果】
【００１１】
本発明では、筺体の内部に押出方向と平行に取り付けられる通し部品の一部で貫通穴を塞ぐようにしたから、外観を損なわずに貫通穴を塞ぐことができる。また、通し部品を外観部品の固定手段で共締めする発明では、押出方向に取り付けられる外観部品とそれに交差する方向に取り付けられる通し部品を、共通の固定手段で固定することができるので、固定手段の部品点数を削減することができる。
【発明を実施するための最良の形態】
【００１２】
本発明の一実施例である小型の電子カメラの筺体１０は、図１に示すように、ホロー断面部１１，１２を有する金属製の押出形材を所定の長さに切断して作られる。筺体１０は、撮影レンズが露呈される面を正面１３とする六面体となっており、平面視投影輪郭が左を大径の曲面にした略長円環状（レーストラック状）になっている。筺体１０は、ホロー断面部１１，１２が平面２５及び底面２３となる姿勢で使用される。平面２５及び底面２３には、開口部１４，１５がそれぞれ設けられている。開口部１４，１５の間の中空部は、ホロー断面部１１，１２と略同じ形状になる。押出方向と平行な正面１３には、撮影レンズ含む鏡筒を露呈するための大径の開口１６やストロボ発光窓を露呈するための横長矩形の開口１７等が切削加工により形成されている。
【００１３】
押出方向と平行な背面１８には、図２に示すように、ＬＣＤ表示部を露呈するための矩形の開口１９などが切削加工により形成される。また、押出方向と平行な左側面２０には、ストラップ用の取付部である一対の貫通穴２１，２２が切削加工により形成されている。なお、図示していないが、底面２３には、開口部１５の周縁に一段凹んだ段部が切削加工により形成される。段部には、底板を固定するためのネジ穴が形成される。
【００１４】
図３に示すように、筺体１０の平面２５には、開口部１４の周縁に一段凹んだ段部が切削加工により形成される。この段部に天板２６が嵌め込まれ、爪係合により仮止めされる。この天板２６には、シャッタボタン２７や電源スイッチ２８が予め組み込まれている。底面２３の開口部１５には、底板２９がネジ（固定手段）４１により固定される。
【００１５】
筺体１０の内部には、天板２６と底板２９の間に押出方向と平行に通される通し部品３１が取り付けられる。通し部品３１は、弾性を有する材料で断面Ｌ字の板状に形成されている。この通し部品３１には、一対の貫通穴２１，２２を内部から塞ぐ凹部（一部）５０が設けられている。
【００１６】
通し部品３１には、断面Ｌ字のうちの長片部３２が、図４に示すように、先端３３が「く」の字に折れ曲がっており、その下方に第１ネジ穴３４が形成されている。天板２６には、クリップ部３５が開放側を下方に向けた姿勢で一体に形成されている。クリップ部３５は、通し部品３１の先端３３をくわえ込む。また、天板２６には、クリップ部３５の隣に、固定板３７が一体に形成されている。固定板３７には、筺体１０に固定するためのネジ穴３８が形成されている。筺体１０の左側面２０には、上方にネジ用穴４０が形成されている。このネジ用穴４０を通して固定板３７のネジ穴３８と通し部品３１の第１ネジ穴３４とに、ネジ４１が締め込まれる。これにより、通し部品３１の先端３３は、天板２６を筺体１０に固定するネジ４１により共締めされる。
【００１７】
通し部品３１の他端４４は、図５に示すように、底板２９に伸びている。短辺部４５は、底板２９の内側に重なるように折り曲げられている。他端４４と短辺部４５には、第２及び第３のネジ穴４６，４７がそれぞれ形成されている。第２のネジ穴４６には、筺体１０の左側面の下方に設けたネジ用穴４８を通してネジ４１が締め込まれる。また、第３のネジ穴４７には、底板２９に設けたネジ用穴４９を通してネジ４１が締め込まれる。
【００１８】
通し部品３１の長辺部３２には、図６に示すように、一対の貫通穴２１，２２に対応する部位に、内部に向けて一段凹んだ凹部５０が折り曲げ形成されている。凹部５０は、一対の貫通穴２１，２２を塞ぐ作用と、ストラップを通すための空間を確保する作用とを兼ね備えている。そして、凹部５０の両端にある折り曲げ間の間隔Ａは、ストラップを通すときに引っ掛からないように、一対の貫通穴２１，２２の外端間の間隔Ｂよりも狭い間隔になっている。
【００１９】
筺体１０の左側面の内壁には、図７に示すように、一対のガイドリブ５５，５６が押出方向に沿って筺体１０と一体に形成されている。一対のガイドリブ５５，５６は、押出形材を作るときに一緒に形成されている。これらガイドリブ５５，５６は、通し部品３１の両端をガイドする幅で形成されており、通し部品３１が抜け出ることを防止する爪５７，５８が先端に形成されている。そして、図８に示すように、一対のガイドリブ５５，５６は、爪５７，５８までの高さが凹部５０の凹み分を考慮した高さになっている。
【００２０】
上記構成の作用を簡単に説明する。筺体１０は、押出成形工程、切断工程、及び、切削工程を経て作られる。押出成形工程では、金属材料で、例えばレーントラック状の断面中空状の押出形材を作る。切断工程では、押出形材を所定の長さに切断する。所定長さに切断した押出形材は、切削工程で切削される。この切削工程で、部品組込用の開口１６，１７，１９やストラップ用の一対の貫通穴２１，２２などの穴、段部、ネジ穴、及び、ネジ用穴等を作る。なお、押出成形工程後に、必要であれば、矯正工程を設け、矯正工程で、押出形材の曲がりを矯正するようにしてもよい。また、切削工程の後に切断工程を行ってもよい。この場合、押出形材の予め決めた間隔（筺体の高さ方向の長さ）毎に、切削工程を連続的に行えばよい。
【００２１】
出来上がった筺体１０は、カメラの組立工程に供給される。組立工程では、筺体１０の平面２５の開口部１４に天板２６を挿入する。この挿入により天板２６は筺体１０に対して爪結合される。
【００２２】
天板２６を仮固定した筺体１０には、底面２３の開口部１５を通して通し部品３１が押出方向と平行に挿入される。このとき、通し部品３１の幅方向の両端を一対のガイドリブ５５，５６がガイドするので、挿入作業を簡単に行うことができる。通し部品３１を挿入していくと、先端３３が天板２６のクリップ部３５に挟み込まれてそれ以上の挿入が阻止される。これにより、通し部品３１の挿入量が規定の量になったことが分かる。その後、筺体１０の左側面２０のネジ用穴４０を通してネジ４１を締め込む。これにより、天板２６と通し部品３１の先端３３とが筺体１０に同時に固定される。
【００２３】
通し部品３１を組み込んだ筺体１０には、撮影レンズを内蔵した鏡筒部を含むレンズユニット、ストロボ発光部、電池室などの内蔵部品が、開口部１４，１５又は表示部用の開口１９を通して組み込まれる。このとき、コネクタ類の接続作業を行う。
【００２４】
内蔵部品を組み込んだ筺体１０には、底板２９が挿入され、底板２９は、筺体１０にネジ４１により固定される。また、筺体１０の左側面２０の下方にあるネジ用穴４８には、ネジ４１が締め込まれる。これにより、通し部品３１の他端４４と筺体１０とが、及び、通し部品３１の短辺部４５と底板２９とが、並びに、底板２９と筺体１０とがそれぞれ固定される。なお、図示していないが、底板２９には、電池蓋が開閉自在に設けられている。
【００２５】
組立が完成したカメラのストラップ取付部は、図６及び図８に示すように、一対の貫通穴２１，２２の底を構成する通し部品３１の凹部５０、及び、凹部５０の左右壁を構成する一対のガイドリブ５５，５６により一対の貫通穴２１，２２の間がトンネル状に構成される。
【００２６】
上記実施形態では、ストラップ用の貫通穴２１，２２を通し部品３１で塞いでいるが、ストラップ用の貫通穴に限らず、他の作用をもつ貫通穴に対して底を塞ぐように構成してもよい。また、ストラップ用の貫通穴２１，２２を左側面に設けているが、押出方向と平行な面であれば、正面、右側面、及び、背面のうちのいずれでもよい。さらに、貫通穴としては、ストラップ用に限らず、他の作用をもつ貫通穴としてもよい。この場合には、通し部品に凹部を形成する必要がなく、たんなる平坦部で貫通穴の底を塞ぐようにしてもよい。
【産業上の利用可能性】
【００２７】
上記実施形態では、電子カメラについて説明しているが、本発明ではこれに限らず、情報端末や携帯電話機等の電子機器にも採用することができる。
【図面の簡単な説明】
【００２８】
【図１】電子カメラの筺体を示す正面側斜視図である。
【図２】電子カメラの筺体を示す背面側斜視図である。
【図３】電子カメラの外装カバーの構成を示す分解斜視図である。
【図４】通し部品の先端と天板との固定部分を示す縦断面図である。
【図５】通し部品の他端と底板との固定部分を示す縦断面図である。
【図６】ストラップ用の貫通穴と凹部との位置関係を示す縦断面図である。
【図７】通し部品の先端とガイドリブとの位置関係を示す横断面図である。
【図８】通し部品の凹部とガイドリブとの位置関係を示す横断面図である。
【符号の説明】
【００２９】
１０  筺体
１１，１２  ホロー断面部
２１，２２  貫通孔
２６  天板
３１  通し部品
【図１】
2009278040.tif 000003
【図２】
2009278040.tif 000004
【図３】
2009278040.tif 000005
【図４】
2009278040.tif 000006
【図５】
2009278040.tif 000007
【図６】
2009278040.tif 000008
【図７】
2009278040.tif 000009
【図８】
2009278040.tif 000010